(57)【特許請求の範囲】
【請求項１】
物体側から順に、正の屈折力の第１レンズ群、負の屈折力の第２レンズ群、正の屈折力の第３レンズ群、負の屈折力の第４レンズ群、及び正の屈折力の第５レンズ群からなり、短焦点距離端から長焦点距離端への変倍に際し、第１レンズ群と第２レンズ群の間隔が増大し、第２レンズ群と第３レンズ群の間隔が減少し、隣り合う各レンズ群の間隔が変化するズームレンズ系において、
第１レンズ群は、物体側から順に、負レンズ、正レンズ及び正レンズの３枚のレンズからなり、
次の条件式（１）、（２）、（３）及び（４）を満足する、
ことを特徴とするズームレンズ系。
（１）０．１０＜｜ｄ２３ｔ−ｄ２３ｗ｜／ｆｔ＜０．２０
（２）２．５０＜ｆｔ／ｆ１＜５．００
（３）ＬＰνｄ＞９５
（４）ＬＮνｄ＞３９
但し、
ｄ２３ｔ：長焦点距離端における第２レンズ群と第３レンズ群の空気間隔、
ｄ２３ｗ：短焦点距離端における第２レンズ群と第３レンズ群の空気間隔、
ｆｔ：長焦点距離端における全系の焦点距離、
ｆ１：第１レンズ群の焦点距離、
ＬＰνｄ：第１レンズ群中の物体側の正レンズのｄ線に対するアッベ数、
ＬＮνｄ：第１レンズ群中の負レンズのｄ線に対するアッベ数。
【請求項２】
請求項１記載のズームレンズ系において、
少なくとも一部のズーミング域で、第４レンズ群と第５レンズ群の双方がフォーカシング時に移動するフォーカスレンズ群を構成するズームレンズ系。
【請求項３】
物体側から順に、正の屈折力の第１レンズ群、負の屈折力の第２レンズ群、正の屈折力の第３レンズ群、負の屈折力の第４レンズ群、及び正の屈折力の第５レンズ群からなり、短焦点距離端から長焦点距離端への変倍に際し、第１レンズ群と第２レンズ群の間隔が増大し、第２レンズ群と第３レンズ群の間隔が減少し、隣り合う各レンズ群の間隔が変化するズームレンズ系において、
少なくとも一部のズーミング域で、第４レンズ群と第５レンズ群の双方がフォーカシング時に移動するフォーカスレンズ群を構成し、
次の条件式（１）及び（２）を満足する、
ことを特徴とするズームレンズ系。
（１）０．１０＜｜ｄ２３ｔ−ｄ２３ｗ｜／ｆｔ＜０．２０
（２）２．５０＜ｆｔ／ｆ１＜５．００
但し、
ｄ２３ｔ：長焦点距離端における第２レンズ群と第３レンズ群の空気間隔、
ｄ２３ｗ：短焦点距離端における第２レンズ群と第３レンズ群の空気間隔、
ｆｔ：長焦点距離端における全系の焦点距離、
ｆ１：第１レンズ群の焦点距離。
【請求項４】
請求項１ないし３のいずれか１項記載のズームレンズ系において、
次の条件式（５）を満足するズームレンズ系。
（５）７．５＜ｍ２ｔ／ｍ２ｗ＜１５．０
但し、
ｍ２ｔ：長焦点距離端における無限遠合焦時の第２レンズ群の横倍率、
ｍ２ｗ：短焦点距離端における無限遠合焦時の第２レンズ群の横倍率。
【請求項５】
請求項１ないし４のいずれか１項記載のズームレンズ系において、
第２レンズ群は、物体側から順に、負レンズ、物体側から順に位置する正レンズと負レンズの接合レンズ、及び負レンズの４枚のレンズからなり、少なくとも１枚のレンズが非球面を有するズームレンズ系。
【請求項６】
請求項１ないし４のいずれか１項記載のズームレンズ系において、
第２レンズ群は、物体側から順に、負レンズ、負レンズ、正レンズ及び負レンズの４枚のレンズからなり、少なくとも１枚のレンズが非球面を有するズームレンズ系。
【請求項７】
請求項５または６記載のズームレンズ系において、
次の条件式（６）を満足するズームレンズ系。
（６）−０．９２＜ｆ２／ｆ２ｐ＜−０．６５
但し、
ｆ２ｐ：第２レンズ群中の正レンズの焦点距離、
ｆ２：第２レンズ群の焦点距離。
【請求項８】
請求項１ないし７のいずれか１項記載のズームレンズ系において、
第５レンズ群は、フォーカシング時に移動するフォーカスレンズ群を構成し、次の条件式（７）を満足するズームレンズ系。
（７）８．５＜ｆｔ／ｆ５＜２０．０
但し、
ｆｔ：長焦点距離端における全系の焦点距離、
ｆ５：第５レンズ群の焦点距離。
【請求項９】
請求項１ないし８のいずれか１項記載のズームレンズ系において、
第３レンズ群は、物体側から順に、正レンズ、物体側から順に位置する正レンズと負レンズの接合レンズ、及び正レンズの４枚のレンズ、または、物体側から順に、正レンズ、負レンズ及び正レンズの３枚のレンズからなるズームレンズ系。
【請求項１０】
請求項１ないし９のいずれか１項記載のズームレンズ系において、
第４レンズ群は、負単レンズ、物体側から順に位置する負レンズと正レンズの接合レンズ、物体側から順に位置する正レンズと負レンズの接合レンズ、または、物体側から順に、物体側から順に位置する正レンズと負レンズの接合レンズ及び正レンズの３枚のレンズからなるズームレンズ系。
【請求項１１】
物体側から順に、正の屈折力の第１レンズ群、負の屈折力の第２レンズ群、正の屈折力の第３レンズ群、負の屈折力の第４レンズ群、及び正の屈折力の第５レンズ群からなり、短焦点距離端から長焦点距離端への変倍に際し、第１レンズ群と第２レンズ群の間隔が増大し、第２レンズ群と第３レンズ群の間隔が減少し、隣り合う各レンズ群の間隔が変化するズームレンズ系において、
次の条件式（１）、（２）及び（５）を満足する、
ことを特徴とするズームレンズ系。
（１）０．１０＜｜ｄ２３ｔ−ｄ２３ｗ｜／ｆｔ＜０．２０
（２）２．５０＜ｆｔ／ｆ１＜５．００
（５）７．５＜ｍ２ｔ／ｍ２ｗ＜１５．０
但し、
ｄ２３ｔ：長焦点距離端における第２レンズ群と第３レンズ群の空気間隔、
ｄ２３ｗ：短焦点距離端における第２レンズ群と第３レンズ群の空気間隔、
ｆｔ：長焦点距離端における全系の焦点距離、
ｆ１：第１レンズ群の焦点距離、
ｍ２ｔ：長焦点距離端における無限遠合焦時の第２レンズ群の横倍率、
ｍ２ｗ：短焦点距離端における無限遠合焦時の第２レンズ群の横倍率。
【請求項１２】
物体側から順に、正の屈折力の第１レンズ群、負の屈折力の第２レンズ群、正の屈折力の第３レンズ群、負の屈折力の第４レンズ群、及び正の屈折力の第５レンズ群からなり、短焦点距離端から長焦点距離端への変倍に際し、第１レンズ群と第２レンズ群の間隔が増大し、第２レンズ群と第３レンズ群の間隔が減少し、隣り合う各レンズ群の間隔が変化するズームレンズ系において、
第２レンズ群は、物体側から順に、負レンズ、物体側から順に位置する正レンズと負レンズの接合レンズ、及び負レンズの４枚のレンズからなり、少なくとも１枚のレンズが非球面を有し、
次の条件式（１）及び（２）を満足する、
ことを特徴とするズームレンズ系。
（１）０．１０＜｜ｄ２３ｔ−ｄ２３ｗ｜／ｆｔ＜０．２０
（２）２．５０＜ｆｔ／ｆ１＜５．００
但し、
ｄ２３ｔ：長焦点距離端における第２レンズ群と第３レンズ群の空気間隔、
ｄ２３ｗ：短焦点距離端における第２レンズ群と第３レンズ群の空気間隔、
ｆｔ：長焦点距離端における全系の焦点距離、
ｆ１：第１レンズ群の焦点距離。
【請求項１３】
物体側から順に、正の屈折力の第１レンズ群、負の屈折力の第２レンズ群、正の屈折力の第３レンズ群、負の屈折力の第４レンズ群、及び正の屈折力の第５レンズ群からなり、短焦点距離端から長焦点距離端への変倍に際し、第１レンズ群と第２レンズ群の間隔が増大し、第２レンズ群と第３レンズ群の間隔が減少し、隣り合う各レンズ群の間隔が変化するズームレンズ系において、
第２レンズ群は、物体側から順に、負レンズ、物体側から順に位置する正レンズと負レンズの接合レンズ、及び負レンズの４枚のレンズからなり、少なくとも１枚のレンズが非球面を有し、
次の条件式（１）、（２）及び（６）を満足する、
ことを特徴とするズームレンズ系。
（１）０．１０＜｜ｄ２３ｔ−ｄ２３ｗ｜／ｆｔ＜０．２０
（２）２．５０＜ｆｔ／ｆ１＜５．００
（６）−０．９２＜ｆ２／ｆ２ｐ＜−０．６５
但し、
ｄ２３ｔ：長焦点距離端における第２レンズ群と第３レンズ群の空気間隔、
ｄ２３ｗ：短焦点距離端における第２レンズ群と第３レンズ群の空気間隔、
ｆｔ：長焦点距離端における全系の焦点距離、
ｆ１：第１レンズ群の焦点距離、
ｆ２ｐ：第２レンズ群中の正レンズの焦点距離、
ｆ２：第２レンズ群の焦点距離。
【請求項１４】
物体側から順に、正の屈折力の第１レンズ群、負の屈折力の第２レンズ群、正の屈折力の第３レンズ群、負の屈折力の第４レンズ群、及び正の屈折力の第５レンズ群からなり、短焦点距離端から長焦点距離端への変倍に際し、第１レンズ群と第２レンズ群の間隔が増大し、第２レンズ群と第３レンズ群の間隔が減少し、隣り合う各レンズ群の間隔が変化するズームレンズ系において、
第３レンズ群は、物体側から順に、正レンズ、物体側から順に位置する正レンズと負レンズの接合レンズ、及び正レンズの４枚のレンズ、または、物体側から順に、正レンズ、負レンズ及び正レンズの３枚のレンズからなり、
次の条件式（１）及び（２）を満足する、
ことを特徴とするズームレンズ系。
（１）０．１０＜｜ｄ２３ｔ−ｄ２３ｗ｜／ｆｔ＜０．２０
（２）２．５０＜ｆｔ／ｆ１＜５．００
但し、
ｄ２３ｔ：長焦点距離端における第２レンズ群と第３レンズ群の空気間隔、
ｄ２３ｗ：短焦点距離端における第２レンズ群と第３レンズ群の空気間隔、
ｆｔ：長焦点距離端における全系の焦点距離、
ｆ１：第１レンズ群の焦点距離。
【請求項１５】
物体側から順に、正の屈折力の第１レンズ群、負の屈折力の第２レンズ群、正の屈折力の第３レンズ群、負の屈折力の第４レンズ群、及び正の屈折力の第５レンズ群からなり、短焦点距離端から長焦点距離端への変倍に際し、第１レンズ群と第２レンズ群の間隔が増大し、第２レンズ群と第３レンズ群の間隔が減少し、隣り合う各レンズ群の間隔が変化するズームレンズ系において、
第４レンズ群は、負単レンズ、物体側から順に位置する負レンズと正レンズの接合レンズ、物体側から順に位置する正レンズと負レンズの接合レンズ、または、物体側から順に、物体側から順に位置する正レンズと負レンズの接合レンズ及び正レンズの３枚のレンズからなり、
次の条件式（１）及び（２）を満足する、
ことを特徴とするズームレンズ系。
（１）０．１０＜｜ｄ２３ｔ−ｄ２３ｗ｜／ｆｔ＜０．２０
（２）２．５０＜ｆｔ／ｆ１＜５．００
但し、
ｄ２３ｔ：長焦点距離端における第２レンズ群と第３レンズ群の空気間隔、
ｄ２３ｗ：短焦点距離端における第２レンズ群と第３レンズ群の空気間隔、
ｆｔ：長焦点距離端における全系の焦点距離、
ｆ１：第１レンズ群の焦点距離。
【発明の詳細な説明】
【技術分野】
【０００１】
本発明は、ズームレンズ系に関する。
【背景技術】
【０００２】
特許文献１−３には、物体側から順に、正の屈折力の第１レンズ群、負の屈折力の第２レンズ群、正の屈折力の第３レンズ群、負の屈折力の第４レンズ群、及び正の屈折力の第５レンズ群からなるズームレンズ系が開示されている。
【０００３】
しかし、特許文献１−３のズームレンズ系はいずれも、変倍比が２０倍以下であり高変倍化が不十分である。また、変倍時における第２レンズ群と第３レンズ群の光軸上の移動量（間隔変化）が大きすぎるため、レンズ全長（特に収納時の沈胴長）が長くなってしまう。さらに、変倍時における第１レンズ群の光軸上の移動量（繰り出し量）が大きすぎるため、特に長焦点距離端において第１レンズ群と第２レンズ群の間隔が広がってレンズ全長が長くなってしまう。
【先行技術文献】
【特許文献】
【０００４】
【特許文献１】特開２０１１−１８６４１７号公報
【特許文献２】特開２０１１−２３２５４３号公報
【特許文献３】特開２０１１−２５２９６２号公報
【発明の概要】
【発明が解決しようとする課題】
【０００５】
本発明は、以上の問題意識に基づいて完成されたものであり、変倍比が２８〜３０倍程度の高変倍化を達成するとともに、レンズ全長が短縮された小型なズームレンズ系を得ることを目的とする。
【課題を解決するための手段】
【０００６】
本発明のズームレンズ系は、第１の態様では、物体側から順に、正の屈折力の第１レンズ群、負の屈折力の第２レンズ群、正の屈折力の第３レンズ群、負の屈折力の第４レンズ群、及び正の屈折力の第５レンズ群からなり、短焦点距離端から長焦点距離端への変倍に際し、第１レンズ群と第２レンズ群の間隔が増大し、第２レンズ群と第３レンズ群の間隔が減少し、隣り合う各レンズ群の間隔が変化するズームレンズ系において、第１レンズ群は、物体側から順に、負レンズ、正レンズ及び正レンズの３枚のレンズからなり、次の条件式（１）、（２）、（３）及び（４）を満足する、ことを特徴としている。
（１）０．１０＜｜ｄ２３ｔ−ｄ２３ｗ｜／ｆｔ＜０．２０
（２）２．５０＜ｆｔ／ｆ１＜５．００
（３）ＬＰνｄ＞９５
（４）ＬＮνｄ＞３９
但し、
ｄ２３ｔ：長焦点距離端における第２レンズ群と第３レンズ群の空気間隔、
ｄ２３ｗ：短焦点距離端における第２レンズ群と第３レンズ群の空気間隔、
ｆｔ：長焦点距離端における全系の焦点距離、
ｆ１：第１レンズ群の焦点距離、
ＬＰνｄ：第１レンズ群中の物体側の正レンズのｄ線に対するアッベ数、
ＬＮνｄ：第１レンズ群中の負レンズのｄ線に対するアッベ数、
である。
【０００７】
本発明のズームレンズ系は、第２の態様では、物体側から順に、正の屈折力の第１レンズ群、負の屈折力の第２レンズ群、正の屈折力の第３レンズ群、負の屈折力の第４レンズ群、及び正の屈折力の第５レンズ群からなり、短焦点距離端から長焦点距離端への変倍に際し、第１レンズ群と第２レンズ群の間隔が増大し、第２レンズ群と第３レンズ群の間隔が減少し、隣り合う各レンズ群の間隔が変化するズームレンズ系において、少なくとも一部のズーミング域で、第４レンズ群と第５レンズ群の双方がフォーカシング時に移動するフォーカスレンズ群を構成し、次の条件式（１）及び（２）を満足する、ことを特徴としている。
（１）０．１０＜｜ｄ２３ｔ−ｄ２３ｗ｜／ｆｔ＜０．２０
（２）２．５０＜ｆｔ／ｆ１＜５．００
但し、
ｄ２３ｔ：長焦点距離端における第２レンズ群と第３レンズ群の空気間隔、
ｄ２３ｗ：短焦点距離端における第２レンズ群と第３レンズ群の空気間隔、
ｆｔ：長焦点距離端における全系の焦点距離、
ｆ１：第１レンズ群の焦点距離、
である。
【０００８】
本発明のズームレンズ系は、第３の態様では、物体側から順に、正の屈折力の第１レンズ群、負の屈折力の第２レンズ群、正の屈折力の第３レンズ群、負の屈折力の第４レンズ群、及び正の屈折力の第５レンズ群からなり、短焦点距離端から長焦点距離端への変倍に際し、第１レンズ群と第２レンズ群の間隔が増大し、第２レンズ群と第３レンズ群の間隔が減少し、隣り合う各レンズ群の間隔が変化するズームレンズ系において、次の条件式（１）、（２）及び（５）を満足する、ことを特徴としている。
（１）０．１０＜｜ｄ２３ｔ−ｄ２３ｗ｜／ｆｔ＜０．２０
（２）２．５０＜ｆｔ／ｆ１＜５．００
（５）７．５＜ｍ２ｔ／ｍ２ｗ＜１５．０
但し、
ｄ２３ｔ：長焦点距離端における第２レンズ群と第３レンズ群の空気間隔、
ｄ２３ｗ：短焦点距離端における第２レンズ群と第３レンズ群の空気間隔、
ｆｔ：長焦点距離端における全系の焦点距離、
ｆ１：第１レンズ群の焦点距離、
ｍ２ｔ：長焦点距離端における無限遠合焦時の第２レンズ群の横倍率、
ｍ２ｗ：短焦点距離端における無限遠合焦時の第２レンズ群の横倍率、
である。
【０００９】
本発明のズームレンズ系は、第４の態様では、物体側から順に、正の屈折力の第１レンズ群、負の屈折力の第２レンズ群、正の屈折力の第３レンズ群、負の屈折力の第４レンズ群、及び正の屈折力の第５レンズ群からなり、短焦点距離端から長焦点距離端への変倍に際し、第１レンズ群と第２レンズ群の間隔が増大し、第２レンズ群と第３レンズ群の間隔が減少し、隣り合う各レンズ群の間隔が変化するズームレンズ系において、第２レンズ群は、物体側から順に、負レンズ、物体側から順に位置する正レンズと負レンズの接合レンズ、及び負レンズの４枚のレンズからなり、少なくとも１枚のレンズが非球面を有し、次の条件式（１）及び（２）を満足する、ことを特徴としている。
（１）０．１０＜｜ｄ２３ｔ−ｄ２３ｗ｜／ｆｔ＜０．２０
（２）２．５０＜ｆｔ／ｆ１＜５．００
但し、
ｄ２３ｔ：長焦点距離端における第２レンズ群と第３レンズ群の空気間隔、
ｄ２３ｗ：短焦点距離端における第２レンズ群と第３レンズ群の空気間隔、
ｆｔ：長焦点距離端における全系の焦点距離、
ｆ１：第１レンズ群の焦点距離、
である。
【００１０】
本発明のズームレンズ系は、第５の態様では、物体側から順に、正の屈折力の第１レンズ群、負の屈折力の第２レンズ群、正の屈折力の第３レンズ群、負の屈折力の第４レンズ群、及び正の屈折力の第５レンズ群からなり、短焦点距離端から長焦点距離端への変倍に際し、第１レンズ群と第２レンズ群の間隔が増大し、第２レンズ群と第３レンズ群の間隔が減少し、隣り合う各レンズ群の間隔が変化するズームレンズ系において、第２レンズ群は、物体側から順に、負レンズ、物体側から順に位置する正レンズと負レンズの接合レンズ、及び負レンズの４枚のレンズからなり、少なくとも１枚のレンズが非球面を有し、次の条件式（１）、（２）及び（６）を満足する、ことを特徴としている。
（１）０．１０＜｜ｄ２３ｔ−ｄ２３ｗ｜／ｆｔ＜０．２０
（２）２．５０＜ｆｔ／ｆ１＜５．００
（６）−０．９２＜ｆ２／ｆ２ｐ＜−０．６５
但し、
ｄ２３ｔ：長焦点距離端における第２レンズ群と第３レンズ群の空気間隔、
ｄ２３ｗ：短焦点距離端における第２レンズ群と第３レンズ群の空気間隔、
ｆｔ：長焦点距離端における全系の焦点距離、
ｆ１：第１レンズ群の焦点距離、
ｆ２ｐ：第２レンズ群中の正レンズの焦点距離、
ｆ２：第２レンズ群の焦点距離、
である。
【００１２】
本発明のズームレンズ系は、第６の態様では、物体側から順に、正の屈折力の第１レンズ群、負の屈折力の第２レンズ群、正の屈折力の第３レンズ群、負の屈折力の第４レンズ群、及び正の屈折力の第５レンズ群からなり、短焦点距離端から長焦点距離端への変倍に際し、第１レンズ群と第２レンズ群の間隔が増大し、第２レンズ群と第３レンズ群の間隔が減少し、隣り合う各レンズ群の間隔が変化するズームレンズ系において、第３レンズ群は、物体側から順に、正レンズ、物体側から順に位置する正レンズと負レンズの接合レンズ、及び正レンズの４枚のレンズ、または、物体側から順に、正レンズ、負レンズ及び正レンズの３枚のレンズからなり、次の条件式（１）及び（２）を満足する、ことを特徴としている。
（１）０．１０＜｜ｄ２３ｔ−ｄ２３ｗ｜／ｆｔ＜０．２０
（２）２．５０＜ｆｔ／ｆ１＜５．００
但し、
ｄ２３ｔ：長焦点距離端における第２レンズ群と第３レンズ群の空気間隔、
ｄ２３ｗ：短焦点距離端における第２レンズ群と第３レンズ群の空気間隔、
ｆｔ：長焦点距離端における全系の焦点距離、
ｆ１：第１レンズ群の焦点距離、
である。
【００１３】
本発明のズームレンズ系は、第７の態様では、物体側から順に、正の屈折力の第１レンズ群、負の屈折力の第２レンズ群、正の屈折力の第３レンズ群、負の屈折力の第４レンズ群、及び正の屈折力の第５レンズ群からなり、短焦点距離端から長焦点距離端への変倍に際し、第１レンズ群と第２レンズ群の間隔が増大し、第２レンズ群と第３レンズ群の間隔が減少し、隣り合う各レンズ群の間隔が変化するズームレンズ系において、第４レンズ群は、負単レンズ、物体側から順に位置する負レンズと正レンズの接合レンズ、物体側から順に位置する正レンズと負レンズの接合レンズ、または、物体側から順に、物体側から順に位置する正レンズと負レンズの接合レンズ及び正レンズの３枚のレンズからなり、次の条件式（１）及び（２）を満足する、ことを特徴としている。
（１）０．１０＜｜ｄ２３ｔ−ｄ２３ｗ｜／ｆｔ＜０．２０
（２）２．５０＜ｆｔ／ｆ１＜５．００
但し、
ｄ２３ｔ：長焦点距離端における第２レンズ群と第３レンズ群の空気間隔、
ｄ２３ｗ：短焦点距離端における第２レンズ群と第３レンズ群の空気間隔、
ｆｔ：長焦点距離端における全系の焦点距離、
ｆ１：第１レンズ群の焦点距離、
である。
【００１４】
本発明のズームレンズ系は、第５レンズ群をフォーカシング時に移動するフォーカスレンズ群として、次の条件式（７）を満足することが好ましい。
（７）８．５＜ｆｔ／ｆ５＜２０．０
但し、
ｆｔ：長焦点距離端における全系の焦点距離、
ｆ５：第５レンズ群の焦点距離、
である。
【発明の効果】
【００１６】
本発明によれば、変倍比が２８〜３０倍程度の高変倍化を達成するとともに、レンズ全長が短縮された小型なズームレンズ系が得られる。
【図面の簡単な説明】
【００１７】
【図１】本発明によるズームレンズ系の数値実施例１の短焦点距離端における無限遠合焦時のレンズ構成図である。
【図２】図１のように構成されたズームレンズ系の短焦点距離端における無限遠合焦時の諸収差図である。
【図３】図１のように構成されたズームレンズ系の中間焦点距離における無限遠合焦時の諸収差図である。
【図４】図１のように構成されたズームレンズ系の長焦点距離端における無限遠合焦時の諸収差図である。
【図５】本発明によるズームレンズ系の数値実施例２の短焦点距離端における無限遠合焦時のレンズ構成図である。
【図６】図５のように構成されたズームレンズ系の短焦点距離端における無限遠合焦時の諸収差図である。
【図７】図５のように構成されたズームレンズ系の中間焦点距離における無限遠合焦時の諸収差図である。
【図８】図５のように構成されたズームレンズ系の長焦点距離端における無限遠合焦時の諸収差図である。
【図９】本発明によるズームレンズ系の数値実施例３の短焦点距離端における無限遠合焦時のレンズ構成図である。
【図１０】図９のように構成されたズームレンズ系の短焦点距離端における無限遠合焦時の諸収差図である。
【図１１】図９のように構成されたズームレンズ系の中間焦点距離における無限遠合焦時の諸収差図である。
【図１２】図９のように構成されたズームレンズ系の長焦点距離端における無限遠合焦時の諸収差図である。
【図１３】本発明によるズームレンズ系の数値実施例４の短焦点距離端における無限遠合焦時のレンズ構成図である。
【図１４】図１３のように構成されたズームレンズ系の短焦点距離端における無限遠合焦時の諸収差図である。
【図１５】図１３のように構成されたズームレンズ系の中間焦点距離における無限遠合焦時の諸収差図である。
【図１６】図１３のように構成されたズームレンズ系の長焦点距離端における無限遠合焦時の諸収差図である。
【図１７】本発明によるズームレンズ系の数値実施例５の短焦点距離端における無限遠合焦時のレンズ構成図である。
【図１８】図１７のように構成されたズームレンズ系の短焦点距離端における無限遠合焦時の諸収差図である。
【図１９】図１７のように構成されたズームレンズ系の中間焦点距離における無限遠合焦時の諸収差図である。
【図２０】図１７のように構成されたズームレンズ系の長焦点距離端における無限遠合焦時の諸収差図である。
【図２１】本発明によるズームレンズ系の数値実施例６の短焦点距離端における無限遠合焦時のレンズ構成図である。
【図２２】図２１のように構成されたズームレンズ系の短焦点距離端における無限遠合焦時の諸収差図である。
【図２３】図２１のように構成されたズームレンズ系の中間焦点距離における無限遠合焦時の諸収差図である。
【図２４】図２１のように構成されたズームレンズ系の長焦点距離端における無限遠合焦時の諸収差図である。
【図２５】本発明によるズームレンズ系の数値実施例７の短焦点距離端における無限遠合焦時のレンズ構成図である。
【図２６】図２５のように構成されたズームレンズ系の短焦点距離端における無限遠合焦時の諸収差図である。
【図２７】図２５のように構成されたズームレンズ系の中間焦点距離における無限遠合焦時の諸収差図である。
【図２８】図２５のように構成されたズームレンズ系の長焦点距離端における無限遠合焦時の諸収差図である。
【図２９】本発明によるズームレンズ系のズーム軌跡を示す簡易移動図である。
【発明を実施するための形態】
【００１８】
本実施形態のズームレンズ系は、全数値実施例１−７を通じて、図２９の簡易移動図に示すように、物体側から順に、正の屈折力の第１レンズ群Ｇ１、負の屈折力の第２レンズ群Ｇ２、正の屈折力の第３レンズ群Ｇ３、負の屈折力の第４レンズ群Ｇ４、及び正の屈折力の第５レンズ群Ｇ５からなる。
【００１９】
本実施形態のズームレンズ系では、全数値実施例１−７を通じて、短焦点距離端（Ｗｉｄｅ）から長焦点距離端（Ｔｅｌｅ）への変倍（ズーミング）に際し、第１レンズ群Ｇ１と第２レンズ群Ｇ２の間隔が増大し、第２レンズ群Ｇ２と第３レンズ群Ｇ３の間隔が減少し、第３レンズ群Ｇ３と第４レンズ群Ｇ４の間隔が増大し、第４レンズ群Ｇ４と第５レンズ群Ｇ５の間隔が増大するように、第１レンズ群Ｇ１ないし第５レンズ群Ｇ５の全てのレンズ群が移動する。
【００２０】
より具体的には、短焦点距離端から長焦点距離端への変倍に際し、第１レンズ群Ｇ１が単調に物体側に移動し、第２レンズ群Ｇ２が単調に像側に移動し、第３レンズ群Ｇ３が物体側に凸の軌跡を描きながら物体側に移動し、第４レンズ群Ｇ４が物体側に凸の軌跡を描きながら物体側に移動し、第５レンズ群Ｇ５が単調に像側に移動する。但し、第１レンズ群Ｇ１ないし第５レンズ群Ｇ５の移動軌跡には自由度がある。
【００２１】
第１レンズ群Ｇ１は、全数値実施例１−７を通じて、物体側から順に、負レンズ１１、正レンズ１２及び正レンズ１３の３枚のレンズからなる。負レンズ１１と正レンズ１２は、数値実施例１−６では接合されておらず、数値実施例７では接合されている。
【００２２】
第２レンズ群Ｇ２は、数値実施例１−４では、物体側から順に、負レンズ２１、物体側から順に位置する正レンズ２２と負レンズ２３の接合レンズ、及び負レンズ２４の４枚のレンズからなる。負レンズ２４はその両面が非球面である。
第２レンズ群Ｇ２は、数値実施例５−７では、物体側から順に、負レンズ２１’、負レンズ２２’、正レンズ２３’、及び負レンズ２４’の４枚のレンズからなる。正レンズ２３’はその物体側の面が非球面である。
【００２３】
第３レンズ群Ｇ３は、数値実施例１−６では、物体側から順に、正レンズ３１、物体側から順に位置する正レンズ３２と負レンズ３３の接合レンズ、及び正レンズ３４の４枚のレンズからなる。正レンズ３１はその両面が非球面である。
第３レンズ群Ｇ３は、数値実施例７では、物体側から順に、正レンズ３１’、負レンズ３２’、及び正レンズ３３’の３枚のレンズからなる。正レンズ３１’はその両面が非球面である。
【００２４】
第４レンズ群Ｇ４は、数値実施例１では、物体側から順に位置する負レンズ４１と正レンズ４２の接合レンズからなる。
第４レンズ群Ｇ４は、数値実施例２−４では、物体側から順に位置する正レンズ４１’と負レンズ４２’の接合レンズからなる。正レンズ４１’は、数値実施例２、４ではその両面が球面であり、数値実施例３ではその物体側の面が非球面である。
第４レンズ群Ｇ４は、数値実施例５では、物体側から順に、物体側から順に位置する正レンズ４１’’と負レンズ４２’’の接合レンズ、及び正レンズ４３’’の３枚のレンズからなる。正レンズ４１’’はその物体側の面が非球面であり、正レンズ４３’’はその像側の面が非球面である。
第４レンズ群Ｇ４は、数値実施例６、７では、負単レンズ４１’’’からなる。
【００２５】
第５レンズ群Ｇ５は、全数値実施例１−７を通じて、その両面が非球面の正単レンズ５１からなる。
【００２６】
本実施形態のズームレンズ系は、物体側から順に、正の屈折力の第１レンズ群Ｇ１、負の屈折力の第２レンズ群Ｇ２、正の屈折力の第３レンズ群Ｇ３、負の屈折力の第４レンズ群Ｇ４、及び正の屈折力の第５レンズ群Ｇ５からなる５群ズームレンズ構成において、第１レンズ群Ｇ１のパワーと、変倍時における第２レンズ群Ｇ２と第３レンズ群Ｇ３の間隔変化とを最適設定することで、変倍比が２８〜３０倍程度の高変倍化とレンズ全長の短縮化を同時に達成するとともに、諸収差を良好に補正して優れた光学性能を得ることに成功している。
【００２７】
条件式（１）は、変倍時における第２レンズ群Ｇ２と第３レンズ群Ｇ３の間隔変化を規定している。条件式（１）を満足することで、レンズ全長（特に収納時の沈胴長）を短くするとともに、コマ収差や倍率色収差を良好に補正して優れた光学性能を得ることができる。
条件式（１）の上限を超えると、変倍時における第２レンズ群Ｇ２と第３レンズ群Ｇ３の間隔変化が大きくなりすぎてレンズ全長（特に収納時の沈胴長）が長くなってしまう。
条件式（１）の下限を超えると、コマ収差や倍率色収差の補正が困難となって光学性能が劣化してしまう。また組み付け感度が増大して製造上の難易度が上がってしまう。
【００２８】
条件式（２）は、長焦点距離端における全系の焦点距離と、第１レンズ群Ｇ１の焦点距離との比を規定している。条件式（２）を満足することで、高変倍化とレンズ全長の短縮化を同時に達成するとともに、諸収差を良好に補正して優れた光学性能を得ることができる。
条件式（２）の上限を超えると、第１レンズ群Ｇ１のパワーが強くなりすぎて収差補正が困難になる。
条件式（２）の下限を超えると、第１レンズ群Ｇ１のパワーが弱くなりすぎて、高変倍化のためには第１レンズ群の光軸上の移動量（繰り出し量）を大きくしなければならないため、特に長焦点距離端において第１レンズ群と第２レンズ群の間隔が広がってレンズ全長が長くなってしまう。
【００２９】
上述したように、第１レンズ群Ｇ１は、全数値実施例１−７を通じて、物体側から順に、負レンズ１１、正レンズ１２及び正レンズ１３の３枚のレンズから構成されている。
この構成において、条件式（３）は、第１レンズ群Ｇ１中の物体側の正レンズ１２のｄ線に対するアッベ数を規定しており、条件式（４）は、第１レンズ群Ｇ１中の負レンズ１１のｄ線に対するアッベ数を規定している。条件式（３）及び条件式（４）を満足することで、第１レンズ群Ｇ１における色収差を良好に補正して優れた光学性能を得ることができる。
条件式（３）及び（４）の下限を超えると、第１レンズ群Ｇ１における色収差が補正困難となって光学性能が劣化してしまう。
【００３０】
条件式（５）は、短焦点距離端から長焦点距離端への変倍に際する第２レンズ群Ｇ２の横倍率の変化、すなわち第２レンズ群Ｇ２が受け持つ変倍負担を規定している。条件式（５）を満足することで、高変倍化を達成するとともに、コマ収差などを良好に補正して優れた光学性能を得ることができる。
条件式（５）の上限を超えると、第２レンズ群Ｇ２が受け持つ変倍負担が大きくなりすぎるため、特にコマ収差が補正困難となって光学性能が劣化してしまう。
条件式（５）の下限を超えると、第２レンズ群Ｇ２が受け持つ変倍負担が小さくなりすぎるため、高い変倍化が得られなくなる。
【００３１】
上述したように、第２レンズ群Ｇ２は、数値実施例１−４では、物体側から順に、負レンズ２１、物体側から順に位置する正レンズ２２と負レンズ２３の接合レンズ、及び負レンズ２４の４枚のレンズからなり、このうち負レンズ２４が非球面レンズとなっている。
正レンズ２２と負レンズ２３を接合することで、第２レンズ群Ｇ２の偏芯感度を小さくすることができ、製造上有利になる。また第２レンズ群Ｇ２中に非球面レンズを含ませることで、軸外収差を良好に補正することができる。
【００３２】
上述したように、第２レンズ群Ｇ２は、数値実施例５−７では、物体側から順に、負レンズ２１’、負レンズ２２’、正レンズ２３’、及び負レンズ２４’の４枚のレンズからなり、このうち正レンズ２３’が非球面レンズとなっている。
第２レンズ群Ｇ２中の物体側から順に２枚の負レンズ２１’、２２’を連続して配置することで、第１レンズ群Ｇ１から第２レンズ群Ｇ２に入射した光線を後続レンズ群（第３レンズ群Ｇ３、第４レンズ群Ｇ４、第５レンズ群Ｇ５）に伝達するために必要な強い負の屈折力を分散させることができる。また第２レンズ群Ｇ２中に非球面レンズを含ませることで、軸外収差を良好に補正することができる。
【００３３】
条件式（６）は、上述した第２レンズ群Ｇ２の構成において、第２レンズ群中Ｇ２の正レンズ２２または正レンズ２３'の焦点距離と、第２レンズ群Ｇ２の焦点距離との比を規定している。条件式（６）を満足することで、像面湾曲や色収差を良好に補正して優れた光学性能を得ることができる。
条件式（６）の上限を超えると、第２レンズ群中Ｇ２の正レンズ２２または正レンズ２３'のパワーが弱くなりすぎて、色収差の補正が困難になる。
条件式（６）の下限を超えると、第２レンズ群中Ｇ２の正レンズ２２または正レンズ２３'のパワーが強くなりすぎて、像面湾曲の補正が困難になる。
【００３４】
本実施形態のズームレンズ系では、第５レンズ群Ｇ５がフォーカシング時に移動するフォーカスレンズ群を構成している。
条件式（７）はこの構成において、長焦点距離端における全系の焦点距離と、第５レンズ群Ｇ５の焦点距離との比を規定している。条件式（７）を満足することで、フォーカシング時の収差変動を抑えて優れた光学性能を得るとともに、第５レンズ群Ｇ５のフォーカシング移動量を抑えてレンズ全長を短くすることができる。
条件式（７）の上限を超えると、フォーカスレンズ群である第５レンズ群Ｇ５のパワーが強くなりすぎて、フォーカシング時の収差変動が大きくなってしまう。
条件式（７）の下限を超えると、フォーカスレンズ群である第５レンズ群Ｇ５のパワーが弱くなりすぎて、フォーカシング移動量が増大してレンズ全長が長くなってしまう。
【００３５】
さらに本実施形態のズームレンズ系では、無限遠物体から有限距離物体へ合焦させるに際し、少なくとも一部のズーミング域で、第４レンズ群Ｇ４と第５レンズ群Ｇ５の双方がフォーカスレンズ群を構成することで、ズーム全域で近距離性能を良好にするとともに、レンズ系を小型化することができる。また数値実施例６、７のように、フォーカスレンズ群である第４レンズ群Ｇ４と第５レンズ群Ｇ５を負単レンズ４１’’’と正単レンズ５１で構成することで、フォーカス駆動機構への負担を軽減して迅速なフォーカシングを実現可能としている。
【実施例】
【００３６】
次に具体的な数値実施例を示す。諸収差図及び表中において、ｄ線、ｇ線、Ｃ線はそれぞれの波長に対する収差、Ｓはサジタル、Ｍはメリディオナル、FNO.はＦナンバー、fは全系の焦点距離、Wは半画角（゜）、Yは像高、fB はバックフォーカス、Lはレンズ全長、rは曲率半径、ｄはレンズ厚またはレンズ間隔、N(d)はｄ線に対する屈折率、νｄはｄ線に対するアッベ数、「E-a」は「×10-a」を示す。長さの単位は[mm]である。Ｆナンバー、焦点距離、半画角、像高、バックフォーカス、レンズ全長及び変倍に伴って間隔が変化するレンズ間隔ｄは、短焦点距離端−中間焦点距離−長焦点距離端の順に示している。
回転対称非球面は次式で定義される。
x=cy2/[1+[1-(1+K)c2y2]1/2]+A4y4+A6y6+A8y8 +A10y10+A12y12・・・
（但し、cは曲率（１／ｒ）、ｙは光軸からの高さ、Ｋは円錐係数、Ａ４、Ａ６、Ａ８、・・・・・は各次数の非球面係数、ｘはサグ量）
【００３７】
［数値実施例１］
図１〜図４と表１〜表４は、本発明によるズームレンズ系の数値実施例１を示している。図１は、短焦点距離端における無限遠合焦時のレンズ構成図である。図２、図３、図４はそれぞれ、短焦点距離端、中間焦点距離、長焦点距離端それぞれの無限遠合焦時の諸収差図である。表１は面データ、表２は各種データ、表３は非球面データ、表４はレンズ群データである。
【００３８】
本数値実施例１のズームレンズ系は、物体側から順に、正の屈折力の第１レンズ群Ｇ１、負の屈折力の第２レンズ群Ｇ２、正の屈折力の第３レンズ群Ｇ３、負の屈折力の第４レンズ群Ｇ４、及び正の屈折力の第５レンズ群Ｇ５からなる。第２レンズ群Ｇ２と第３レンズ群Ｇ３の間に位置する絞りＳは、第３レンズ群Ｇ３と一体に移動する。第５レンズ群Ｇ５の後方（像面Ｉとの間）には、光学フィルタＯＰが配置されている。
【００３９】
第１レンズ群Ｇ１は、物体側から順に、物体側に凸の負メニスカスレンズ１１、両凸正レンズ１２、及び物体側に凸の正メニスカスレンズ１３からなる。
【００４０】
第２レンズ群Ｇ２は、物体側から順に、両凹負レンズ２１、物体側から順に位置する両凸正レンズ２２と両凹負レンズ２３の接合レンズ、及び像側に凸の負メニスカスレンズ２４からなる。負メニスカスレンズ２４はその両面が非球面である。
【００４１】
第３レンズ群Ｇ３は、物体側から順に、両凸正レンズ３１、物体側から順に位置する物体側に凸の正メニスカスレンズ３２と物体側に凸の負メニスカスレンズ３３の接合レンズ、及び両凸正レンズ３４からなる。両凸正レンズ３１はその両面が非球面である。
【００４２】
第４レンズ群Ｇ４は、物体側から順に位置する両凹負レンズ４１と物体側に凸の正メニスカスレンズ４２の接合レンズからなる。
【００４３】
第５レンズ群Ｇ５は、その両面が非球面の両凸正単レンズ５１からなる。
【００４４】
（表１）
面データ
面番号          r          d          N(d)        νｄ
1            66.162      0.800      1.80450       39.6
2            22.406      0.180
3            22.683      3.822      1.43700       95.1
4          -225.563      0.100
5            24.200      3.251      1.61800       63.4
6          1584.311        d6
7          -144.706      0.700      1.88300       40.8
8             6.968      1.894
9            45.561      2.531      1.92286       20.9
10           -8.694      0.600      1.83481       42.7
11           70.724      0.837
12*         -20.208      0.700      1.83441       37.3
13*        -500.000       d13
14絞           ∞        0.200
15*           6.086      2.000      1.61881       63.8
16*         -25.931      0.100
17           13.305      1.262      1.49700       81.6
18           79.394      0.600      1.80610       33.3
19            5.127      0.366
20            8.573      1.502      1.61800       63.4
21          -22.810       d21
22          -69.380      0.500      1.80420       46.5
23            5.097      1.186      1.59551       39.2
24           11.136       d24
25*          36.054      2.548      1.53110       55.9
26*          -9.428       d26
27             ∞        0.800      1.51680       64.2
28             ∞          -
＊は回転対称非球面である。
（表２）
各種データ
ズーム比（変倍比）    28.27
短焦点距離端          中間焦点距離          長焦点距離端
FNO.            3.2                   5.3                   6.5
f              4.61                 23.99                130.37
W              41.4                   9.2                   1.7
Y              3.45                  3.96                  3.96
fB             1.00                  1.00                  1.00
L             57.33                 71.90                 80.00
d6            0.663                18.108                30.868
d13          19.716                 7.656                 0.300
d21           2.049                 5.126                 5.515
d24           2.806                 9.044                13.166
d26           4.622                 4.488                 2.675
（表３）
非球面データ（表示していない非球面係数は0.00である）
面番号   K          A4           A6           A8
12    0.000   -0.7761E-03   0.6082E-05
13    0.000   -0.8760E-03   0.7967E-05
15   -0.306   -0.1859E-03  -0.5370E-06
16    0.000    0.3404E-03  -0.1387E-05
25    0.000    0.1149E-03   0.1459E-05  -0.8409E-07
26    0.000    0.4159E-03  -0.3890E-05
（表４）
レンズ群データ
群          始面          焦点距離
1              1             43.33
2              7             -5.87
3             15              8.78
4             22             -9.22
5             25             14.35
【００４５】
［数値実施例２］
図５〜図８と表５〜表８は、本発明によるズームレンズ系の数値実施例２を示している。図５は、短焦点距離端における無限遠合焦時のレンズ構成図である。図６、図７、図８はそれぞれ、短焦点距離端、中間焦点距離、長焦点距離端それぞれの無限遠合焦時の諸収差図である。表５は面データ、表６は各種データ、表７は非球面データ、表８はレンズ群データである。
【００４６】
この数値実施例２のレンズ構成は、次の点を除いて、数値実施例１のレンズ構成と同様である。
（１）第２レンズ群Ｇ２の負レンズ２１が像側に凹の平凹負レンズである。
（２）第４レンズ群Ｇ４が、物体側から順に位置する両凸正レンズ４１’と両凹負レンズ４２’の接合レンズからなる。
【００４７】
（表５）
面データ
面番号          r          d          N(d)        νｄ
1            59.076      0.800      1.80450       39.6
2            22.148      0.461
3            22.853      3.739      1.43700       95.1
4          -277.967      0.100
5            23.625      3.171      1.59349       67.0
6          1493.450        d6
7              ∞        0.700      1.91082       35.2
8             7.040      1.411
9            15.045      2.891      1.92286       20.9
10           -9.589      0.600      1.83481       42.7
11           11.438      1.379
12*         -18.108      0.700      1.83441       37.3
13*         -69.696       d13
14絞           ∞        0.200
15*           7.510      2.461      1.61881       63.8
16*         -21.097      0.100
17           19.573      1.400      1.51742       52.2
18           28.793      0.698      1.80518       25.5
19            7.095      0.238
20           10.133      1.645      1.48749       70.4
21           -9.601       d21
22         2411.767      1.133      1.72825       28.3
23           -9.301      0.500      1.83481       42.7
24            7.217       d24
25*          42.749      2.234      1.53110       55.9
26*          -9.380       d26
27             ∞        0.800      1.51680       64.2
28             ∞          -
＊は回転対称非球面である。
（表６）
各種データ
ズーム比（変倍比）    28.28
短焦点距離端          中間焦点距離          長焦点距離端
FNO.            3.2                   5.1                   6.7
f              4.61                 24.06                130.38
W              41.3                   9.1                   1.7
Y              3.44                  3.96                  3.96
fB             1.00                  1.00                  1.00
L             56.01                 70.24                 80.00
d6            0.531                17.888                30.146
d13          17.745                 6.423                 0.300
d21           2.000                 5.120                 5.867
d24           2.906                 7.931                12.657
d26           4.470                 4.524                 2.672
（表７）
非球面データ（表示していない非球面係数は0.00である）
面番号   K          A4           A6           A8
12    0.000   -0.1715E-02  -0.6312E-05
13    0.000   -0.1740E-02   0.9494E-05
15   -0.346   -0.1346E-03   0.8669E-05
16    0.000    0.5450E-03   0.7140E-05
25    0.000    0.5019E-03  -0.1165E-04   0.4717E-06
26    0.000    0.7889E-03  -0.2118E-04   0.6746E-06
（表８）
レンズ群データ
群          始面          焦点距離
1              1             42.78
2              7             -5.31
3             15              8.22
4             22             -7.86
5             25             14.70
【００４８】
［数値実施例３］
図９〜図１２と表９〜表１２は、本発明によるズームレンズ系の数値実施例３を示している。図９は、短焦点距離端における無限遠合焦時のレンズ構成図である。図１０、図１１、図１２はそれぞれ、短焦点距離端、中間焦点距離、長焦点距離端それぞれの無限遠合焦時の諸収差図である。表９は面データ、表１０は各種データ、表１１は非球面データ、表１２はレンズ群データである。
【００４９】
この数値実施例３のレンズ構成は、次の点を除いて、数値実施例１のレンズ構成と同様である。
（１）第１レンズ群Ｇ１の正レンズ１２が物体側に凸の正メニスカスレンズである。
（２）第２レンズ群Ｇ２の負レンズ２１が像側に凹の平凹負レンズである。
（３）第３レンズ群Ｇ３において、正レンズ３２が両凸正レンズであり、負レンズ３３が両凹負レンズである。
（４）第４レンズ群Ｇ４が、物体側から順に位置する像側に凸の正メニスカスレンズ４１’と両凹負レンズ４２’の接合レンズからなる。正メニスカスレンズ４１’はその物体側の面が非球面である。
【００５０】
（表９）
面データ
面番号          r          d          N(d)        νｄ
1            49.567      0.800      1.80450       39.6
2            20.089      0.316
3            20.603      3.886      1.43700       95.1
4          1692.361      0.100
5            22.130      3.333      1.59349       67.0
6          1264.196        d6
7              ∞        0.700      1.91082       35.2
8             6.690      1.317
9            11.464      3.012      1.92286       20.9
10          -11.395      0.600      1.83481       42.7
11            9.325      1.476
12*         -18.622      0.800      1.83441       37.3
13*        -136.070       d13
14絞           ∞        0.200
15*           8.058      2.500      1.61881       63.8
16*         -14.315      0.100
17           22.224      1.500      1.48749       70.4
18          -25.701      0.700      1.90366       31.3
19           10.895      0.214
20           20.575      1.618      1.56384       60.8
21           -7.505       d21
22*         -59.496      1.316      1.68893       31.2
23           -8.037      0.600      1.83481       42.7
24            7.303       d24
25*          49.045      2.469      1.53110       55.9
26*          -8.143       d26
27             ∞        0.800      1.51680       64.2
28             ∞          -
＊は回転対称非球面である。
（表１０）
各種データ
ズーム比（変倍比）    28.28
短焦点距離端          中間焦点距離          長焦点距離端
FNO.            3.2                   5.2                   6.7
f              4.61                 24.44                130.39
W              41.4                   9.0                   1.7
Y              3.45                  3.96                  3.96
fB             1.00                  1.00                  1.00
L             55.88                 71.43                 80.00
d6            0.537                17.444                28.750
d13          16.810                 6.461                 0.300
d21           2.083                 4.585                 5.897
d24           2.901                 9.450                13.025
d26           4.194                 4.131                 2.670
（表１１）
非球面データ（表示していない非球面係数は0.00である）
面番号   K          A4           A6           A8
12    0.000   -0.1518E-02  -0.3749E-05
13    0.000   -0.1594E-02   0.1012E-04
15   -0.327   -0.1422E-03   0.1549E-04
16    0.000    0.8048E-03   0.1575E-04
22    0.000    0.1404E-03   0.5786E-06
25    0.000    0.2820E-03  -0.9404E-05   0.4764E-06
26    0.000    0.8069E-03  -0.2000E-04   0.7116E-06
（表１２）
レンズ群データ
群          始面          焦点距離
1              1             41.70
2              7             -5.00
3             15              7.83
4             22             -6.83
5             25             13.35
【００５１】
［数値実施例４］
図１３〜図１６と表１３〜表１６は、本発明によるズームレンズ系の数値実施例４を示している。図１３は、短焦点距離端における無限遠合焦時のレンズ構成図である。図１４、図１５、図１６はそれぞれ、短焦点距離端、中間焦点距離、長焦点距離端それぞれの無限遠合焦時の諸収差図である。表１３は面データ、表１４は各種データ、表１５は非球面データ、表１６はレンズ群データである。
【００５２】
この数値実施例４のレンズ構成は、次の点を除いて、数値実施例１のレンズ構成と同様である。
（１）第１レンズ群Ｇ１の正レンズ１３が物体側に凸の平凸正レンズである。
（２）第３レンズ群Ｇ３において、正レンズ３２が両凸正レンズであり、負レンズ３３が両凹負レンズである。
（３）第４レンズ群Ｇ４が、物体側から順に位置する両凸正レンズ４１’と両凹負レンズ４２’の接合レンズからなる。
【００５３】
（表１３）
面データ
面番号          r          d          N(d)        νｄ
1            44.079      0.800      1.78590       43.9
2            20.409      0.300
3            20.717      4.221      1.43700       95.1
4          -652.967      0.100
5            21.696      3.435      1.49700       81.6
6              ∞          d6
7          -115.557      0.700      1.91082       35.2
8             6.093      1.437
9            12.228      3.304      1.84666       23.8
10           -7.143      0.600      1.83481       42.7
11           11.557      1.092
12*         -25.586      0.800      1.83441       37.3
13*         -43.359       d13
14絞           ∞        0.200
15*           8.260      1.973      1.61881       63.8
16*         -10.565      0.100
17           46.895      1.800      1.49700       81.6
18          -19.361      0.700      1.90366       31.3
19           13.775      0.285
20          301.235      1.527      1.51680       64.2
21           -6.551       d21
22           68.653      1.299      1.67270       32.2
23          -10.508      0.600      1.83481       42.7
24            5.999       d24
25*          92.192      2.466      1.53110       55.9
26*          -7.978       d26
27             ∞        0.800      1.51680       64.2
28             ∞          -
＊は回転対称非球面である。
（表１４）
各種データ
ズーム比（変倍比）    28.27
短焦点距離端          中間焦点距離          長焦点距離端
FNO.            3.2                   5.3                   6.7
f              4.61                 23.90                130.38
W              40.5                   9.1                   1.8
Y              3.45                  3.96                  3.96
fB             1.00                  1.00                  1.00
L             56.89                 69.65                 80.00
d6            0.654                16.145                28.435
d13          18.000                 6.329                 0.300
d21           2.000                 4.478                 4.683
d24           2.989                 9.255                14.371
d26           3.707                 3.906                 2.674
（表１５）
非球面データ（表示していない非球面係数は0.00である）
面番号   K          A4           A6           A8
12    0.000   -0.2165E-03  -0.2485E-04
13    0.000   -0.5233E-03  -0.2385E-04   0.1982E-07
15   -0.856   -0.2184E-03   0.5595E-05
16    0.000    0.7832E-03   0.2659E-05
25    0.000    0.6259E-03  -0.6670E-05   0.1977E-06
26    0.000    0.1084E-02  -0.1472E-04   0.3654E-06
（表１６）
レンズ群データ
群          始面          焦点距離
1              1             41.38
2              7             -5.28
3             15              8.03
4             22             -6.95
5             25             13.94
【００５４】
［数値実施例５］
図１７〜図２０と表１７〜表２０は、本発明によるズームレンズ系の数値実施例５を示している。図１７は、短焦点距離端における無限遠合焦時のレンズ構成図である。図１８、図１９、図２０はそれぞれ、短焦点距離端、中間焦点距離、長焦点距離端それぞれの無限遠合焦時の諸収差図である。表１７は面データ、表１８は各種データ、表１９は非球面データ、表２０はレンズ群データである。
【００５５】
この数値実施例５のレンズ構成は、次の点を除いて、数値実施例１のレンズ構成と同様である。
（１）第１レンズ群Ｇ１の正レンズ１２が物体側に凸の正メニスカスレンズである。
（２）第２レンズ群Ｇ２が、物体側から順に、物体側に凸の負メニスカスレンズ２１’両凹負レンズ２２’、両凸正レンズ２３’、及び像側に凸の負メニスカスレンズ２４’からなる。両凸正レンズ２３’はその物体側の面が非球面である。
（３）第４レンズ群Ｇ４が、物体側から順に、物体側から順に位置する像側に凸の正メニスカスレンズ４１’’と両凹負レンズ４２’’の接合レンズ、及び物体側に凸の正メニスカスレンズ４３’’からなる。正メニスカスレンズ４１’’はその物体側の面が非球面であり、正メニスカスレンズ４３’’はその像側の面が非球面である。
【００５６】
（表１７）
面データ
面番号          r          d          N(d)        νｄ
1            38.117      0.800      1.78590       43.9
2            20.168      0.109
3            20.028      4.288      1.43700       95.1
4           238.727      0.100
5            23.708      3.505      1.49700       81.6
6           896.740        d6
7           102.467      0.700      1.83481       42.7
8             6.018      2.665
9           -21.087      0.600      1.83481       42.7
10           25.128      0.100
11*          13.987      2.500      1.82115       24.1
12          -13.216      0.400
13           -8.878      0.600      1.77250       49.6
14         -126.046       d14
15絞           ∞        0.000
16*           7.896      1.954      1.69680       55.5
17*         -24.991      0.486
18           10.740      1.431      1.49700       81.6
19          720.006      0.700      1.90366       31.3
20            6.230      0.314
21           10.695      1.641      1.48749       70.4
22          -11.532       d22
23*         -14.776      1.135      1.68893       31.2
24           -8.203      0.600      1.83481       42.7
25           13.190      0.215
26           34.068      1.000      1.82115       24.1
27*          76.852       d27
28*          18.494      2.883      1.53110       55.9
29*         -10.655       d29
30             ∞        0.800      1.51680       64.2
31             ∞          -
＊は回転対称非球面である。
（表１８）
各種データ
ズーム比（変倍比）    28.28
短焦点距離端          中間焦点距離          長焦点距離端
FNO.            3.1                   5.0                   6.7
f              4.61                 24.45                130.39
W              40.3                   9.0                   1.7
Y              3.45                  3.96                  3.96
fB             1.00                  1.00                  1.00
L             60.76                 75.54                 87.00
d6            0.559                19.070                31.272
d14          20.831                 8.345                 1.942
d22           2.184                 5.475                 6.008
d27           2.614                 8.324                14.579
d29           4.033                 3.803                 2.672
（表１９）
非球面データ（表示していない非球面係数は0.00である）
面番号   K          A4           A6           A8
11   -0.197    0.1709E-03  -0.2553E-05   0.1355E-06
16   -0.708   -0.1058E-05   0.1553E-05
17    0.000    0.2932E-03  -0.1032E-05
23    0.000    0.9467E-03  -0.3858E-05
27    0.000    0.6652E-03   0.8136E-05
28    0.000    0.1833E-03  -0.2013E-05  -0.5037E-07
29    0.000    0.6035E-03  -0.1183E-04   0.7917E-07
（表２０）
レンズ群データ
群          始面          焦点距離
1              1             45.59
2              7             -5.62
3             16              9.07
4             23             -8.50
5             28             13.18
【００５７】
［数値実施例６］
図２１〜図２４と表２１〜表２４は、本発明によるズームレンズ系の数値実施例６を示している。図２１は、短焦点距離端における無限遠合焦時のレンズ構成図である。図２２、図２３、図２４はそれぞれ、短焦点距離端、中間焦点距離、長焦点距離端それぞれの無限遠合焦時の諸収差図である。表２１は面データ、表２２は各種データ、表２３は非球面データ、表２４はレンズ群データである。
【００５８】
この数値実施例６のレンズ構成は、次の点を除いて、数値実施例１のレンズ構成と同様である。
（１）第１レンズ群Ｇ１において、正レンズ１２が物体側に凸の正メニスカスレンズであり、正レンズ１３が両凸正レンズである。
（２）第２レンズ群Ｇ２が、物体側から順に、像側に凹の平凹負レンズ２１’、両凹負レンズ２２’、両凸正レンズ２３’、及び像側に凸の負メニスカスレンズ２４’からなる。両凸正レンズ２３’はその物体側の面が非球面である。
（３）第３レンズ群Ｇ３において、正レンズ３２が両凸正レンズであり、負レンズ３３が両凹負レンズである。
（４）第４レンズ群Ｇ４が両凹負単レンズ４１’’’からなる。
【００５９】
（表２１）
面データ
面番号          r          d          N(d)        νｄ
1            42.097      1.210      1.78590       43.9
2            21.462      0.330
3            21.614      4.235      1.43700       95.1
4           714.083      0.100
5            24.663      3.220      1.49700       81.6
6         -7948.963        d6
7              ∞        0.700      1.88300       40.8
8             6.222      2.639
9           -22.452      0.600      1.83481       42.7
10           18.645      0.100
11*          15.660      2.531      1.82115       24.1
12          -12.858      0.245
13          -10.335      1.200      1.77250       49.6
14          -29.609       d14
15絞           ∞        0.000
16*           6.693      2.102      1.62263       58.2
17*         -24.793      0.206
18           12.248      1.562      1.49700       81.6
19          -16.462      0.700      1.83400       37.3
20            5.501      0.249
21            7.663      1.680      1.48749       70.4
22          -16.439       d22
23          -21.160      0.600      1.51742       52.2
24           10.119       d24
25*          14.090      2.936      1.53110       55.9
26*         -13.466       d26
27             ∞        0.800      1.51680       64.2
28             ∞          -
＊は回転対称非球面である。
（表２２）
各種データ
ズーム比（変倍比）    28.27
短焦点距離端          中間焦点距離          長焦点距離端
FNO.            3.2                   5.1                   6.4
f              4.61                 24.45                130.35
W              40.1                   8.9                   1.7
Y              3.45                  3.96                  3.96
fB             1.00                  1.00                  1.00
L             59.95                 74.09                 87.00
d6            0.573                19.429                33.505
d14          19.884                 6.397                 0.500
d22           2.194                 8.382                 2.386
d24           2.896                 6.459                18.909
d26           5.460                 4.477                 2.757
（表２３）
非球面データ（表示していない非球面係数は0.00である）
面番号   K          A4           A6           A8
11    4.454    0.6009E-04  -0.3712E-05
16   -0.875    0.1855E-03   0.3385E-05
17    0.000    0.2539E-03  -0.5342E-06
25    0.000    0.2548E-03  -0.8626E-05   0.2552E-06
26    0.000    0.5536E-03  -0.1252E-04   0.2804E-06
（表２４）
レンズ群データ
群          始面          焦点距離
1              1             45.65
2              7             -6.58
3             16             10.61
4             23            -13.14
5             25             13.46
【００６０】
［数値実施例７］
図２５〜図２８と表２５〜表２８は、本発明によるズームレンズ系の数値実施例７を示している。図２５は、短焦点距離端における無限遠合焦時のレンズ構成図である。図２６、図２７、図２８はそれぞれ、短焦点距離端、中間焦点距離、長焦点距離端それぞれの無限遠合焦時の諸収差図である。表２５は面データ、表２６は各種データ、表２７は非球面データ、表２８はレンズ群データである。
【００６１】
この数値実施例７のレンズ構成は、次の点を除いて、数値実施例１のレンズ構成と同様である。
（１）第１レンズ群Ｇ１の負メニスカスレンズ１１と両凸正レンズ１２が接合されている。
（２）第２レンズ群Ｇ２が、物体側から順に、物体側に凸の負メニスカスレンズ２１’、両凹負レンズ２２’、両凸正レンズ２３’、及び物体側に凹の平凹負レンズ２４’からなる。両凸正レンズ２３’はその物体側の面が非球面である。
（３）第３レンズ群Ｇ３が、物体側から順に、両凸正レンズ３１’、物体側に凸の負メニスカスレンズ３２’、及び両凸正レンズ３３’からなる。両凸正レンズ３１’はその両面が非球面である。
（４）第４レンズ群Ｇ４が両凹負単レンズ４１’’’からなる。
【００６２】
（表２５）
面データ
面番号          r          d          N(d)        νｄ
1            54.638      1.200      1.78590       43.9
2            25.673      4.856      1.43700       95.1
3          -353.673      0.100
4            26.206      3.151      1.49700       81.6
5           381.350        d5
6           228.352      0.700      1.88300       40.8
7             7.214      2.741
8           -23.403      0.600      1.83481       42.7
9            23.403      0.100
10*          14.248      2.708      1.82115       24.1
11          -12.744      0.238
12          -10.262      0.600      1.77250       49.6
13             ∞         d13
14絞           ∞        0.000
15*           7.928      1.819      1.62263       58.2
16*         -39.265      0.880
17           20.729      1.400      1.84666       23.8
18            7.270      0.193
19            9.881      1.841      1.49700       81.6
20           -9.881       d20
21          -37.367      0.746      1.62041       60.3
22            7.709       d22
23*          21.452      2.460      1.53110       55.9
24*         -12.542       d24
25             ∞        0.800      1.51680       64.2
26             ∞          -
＊は回転対称非球面である。
（表２６）
各種データ
ズーム比（変倍比）    28.27
短焦点距離端          中間焦点距離          長焦点距離端
FNO.            3.2                   4.7                   6.1
f              4.61                 24.46                130.38
W              40.8                   8.9                   1.7
Y              3.45                  3.96                  3.96
fB             1.00                  1.00                  1.00
L             59.49                 72.97                 87.00
d5            0.638                21.581                37.819
d13          20.000                 5.406                 0.500
d20           2.104                 6.159                 2.432
d22           3.145                 6.672                15.410
d24           5.474                 5.019                 2.708
（表２７）
非球面データ（表示していない非球面係数は0.00である）
面番号   K          A4           A6           A8
10    3.823   -0.9055E-04  -0.4230E-05
15   -2.819    0.6010E-03  -0.2300E-05
16    0.000    0.4579E-03   0.2199E-07
23    0.000    0.2263E-03  -0.1590E-05   0.1108E-06
24    0.000    0.3977E-03  -0.6358E-05   0.1746E-06
（表２８）
レンズ群データ
群          始面          焦点距離
1              1             50.93
2              6             -6.58
3             15              9.12
4             21            -10.24
5             23             15.29
【００６３】
各数値実施例の各条件式に対する値を表２９に示す。
（表２９）
実施例１   実施例２   実施例３   実施例４
条件式（１）   0.149      0.134      0.127      0.136
条件式（２）   3.009      3.048      3.126      3.151
条件式（３）  95.100     95.100     95.100     95.100
条件式（４）  39.640     39.640     39.640     43.930
条件式（５）   8.868      8.228      7.831      8.168
条件式（６）  -0.725     -0.790     -0.756     -0.914
条件式（７）   9.084      8.868      9.768      9.350
実施例５   実施例６   実施例７
条件式（１）   0.145      0.149      0.150
条件式（２）   2.860      2.855      2.560
条件式（３）  95.100     95.100     95.100
条件式（４）  43.930     43.930     43.930
条件式（５）   8.113     14.414     14.887
条件式（６）  -0.651     -0.735     -0.767
条件式（７）   9.892      9.683      8.529
【００６４】
表２９から明らかなように、数値実施例１〜数値実施例７は、条件式（１）〜（７）を満足しており、諸収差図から明らかなように諸収差は比較的よく補正されている。
【符号の説明】
【００６５】
Ｇ１  正の屈折力の第１レンズ群
１１  負レンズ
１２  正レンズ
１３  正レンズ
Ｇ２  負の屈折力の第２レンズ群
２１  負レンズ
２２  正レンズ
２３  負レンズ
２４  負レンズ
２１’  負レンズ
２２’  負レンズ
２３’  正レンズ
２４’  負レンズ
Ｇ３  正の屈折力の第３レンズ群
３１  正レンズ
３２  正レンズ
３３  負レンズ
３４  正レンズ
３１’  正レンズ
３２’  負レンズ
３３’  正レンズ
Ｇ４  負の屈折力の第４レンズ群
４１  負レンズ
４２  正レンズ
４１’  正レンズ
４２’  負レンズ
４１’’正レンズ
４２’’  負レンズ
４３’’  正レンズ
４１’’’  負レンズ
Ｇ５  正の屈折力の第５レンズ群
５１  正単レンズ
Ｓ  絞り
ＯＰ  光学フィルタ
Ｉ  像面
【図１】
0005965711.tif 000002
【図２】
0005965711.tif 000003
【図３】
0005965711.tif 000004
【図４】
0005965711.tif 000005
【図５】
0005965711.tif 000006
【図６】
0005965711.tif 000007
【図７】
0005965711.tif 000008
【図８】
0005965711.tif 000009
【図９】
0005965711.tif 000010
【図１０】
0005965711.tif 000011
【図１１】
0005965711.tif 000012
【図１２】
0005965711.tif 000013
【図１３】
0005965711.tif 000014
【図１４】
0005965711.tif 000015
【図１５】
0005965711.tif 000016
【図１６】
0005965711.tif 000017
【図１７】
0005965711.tif 000018
【図１８】
0005965711.tif 000019
【図１９】
0005965711.tif 000020
【図２０】
0005965711.tif 000021
【図２１】
0005965711.tif 000022
【図２２】
0005965711.tif 000023
【図２３】
0005965711.tif 000024
【図２４】
0005965711.tif 000025
【図２５】
0005965711.tif 000026
【図２６】
0005965711.tif 000027
【図２７】
0005965711.tif 000028
【図２８】
0005965711.tif 000029
【図２９】
0005965711.tif 000030